(57)【特許請求の範囲】
【請求項１】
被写体を撮影して該被写体の画像を出力する撮影手段と、
着脱自在な記憶媒体に対して画像を入出力する入出力手段と、
前記撮影手段から出力される画像および前記入出力手段から出力される画像のいずれかを選択する選択手段と、
該選択手段により選択された画像を記憶する記憶手段と、
該記憶手段に記憶された画像をプリントアウトする出力手段と、
前記入出力手段、選択手段、記憶手段および出力手段を制御する制御手段とを有し、
該制御手段は、外部からの指示に従って前記選択手段を制御することにより前記撮影手段から出力される画像および前記入出力手段から出力される画像のいずれかを選択し、前記撮影手段から出力される画像を選択するときは該画像に該当する画像を前記記憶手段から読み出して前記出力手段によりプリントアウトさせると共に前記入出力手段により前記記憶媒体に出力させ、前記入出力手段から出力される画像を選択するときは該画像に該当する画像を前記記憶手段から読み出して前記出力手段によりプリントアウトさせることを特徴とする写真撮影装置。
【請求項２】
請求項１に記載の写真撮影装置において、前記撮影手段はビデオ走査カメラを含むことを特徴とする写真撮影装置。
【請求項３】
請求項１に記載の写真撮影装置において、前記撮影手段はスチルカメラを含むことを特徴とする写真撮影装置。
【請求項４】
請求項１に記載の写真撮影装置において、前記入出力手段は磁気ディスクまたは光ディスクのドライブ装置であることを特徴とする写真撮影装置。
【請求項５】
請求項１に記載の写真撮影装置において、前記入出力手段はメモリカードのドライブ装置であることを特徴とする写真撮影装置。
【発明の詳細な説明】
【０００１】
【発明の属する技術分野】
本発明は、自動的に人物等を撮影して証明写真等を作成する写真撮影装置に関するものである。
【０００２】
【従来の技術】
ボックス内で自動的に使用者等を撮影して証明写真等を作成するボックス写真撮影装置が従来から知られていた。このボックス写真撮影装置は、例えば、ボックス内に、使用者等の被写体を撮影するカメラ、撮影した写真の画像を加工、修正する画像処理装置、加工、修正した画像のプリントを作成するプリンタ、使用者がプリント枚数、大きさ等の情報を入力するための操作用ボタンスイッチ等を備え、使用者がそのボックス内に入って使用料を支払い、操作用ボタンスイッチを操作して所定の情報を入力し、そして、カメラに対して所定の位置に直立または着席すると、自動的に使用者の写真を撮って所定の時間内にプリンタから写真を出力するものであった。
【０００３】
【発明が解決しようとする課題】
しかしながら、上記のボックス写真撮影装置では、１回の装置使用で撮影できる回数は１回だけであるので、使用者は、プリンタから出力された写真が、その全体の被写体配置、構図、目線、姿勢等の観点から満足できるものでない場合には、もう一度最初から写真を撮り直す必要があった。このため、使用者は、写真の取り直しに時間を費やし、撮り直しの都度使用料を支払わなければならなかった。
【０００４】
また、使用者は、撮影した後に同一の写真が欲しくなった場合には、再度同じ撮影条件で撮影を行う必要があった。しかし、再撮影を行っても、実際には同じ撮影条件を再現することは困難であり、厳密に同じ写真を得ることはできなかった。
【０００５】
本発明はこのような従来技術の欠点を解消し、写真撮影装置の１回の使用で所望の写真を撮ることができ、また、過去に撮影した写真と同一の写真を何回でも得ることができる写真撮影装置を提供することを目的とする。
【０００６】
【課題を解決するための手段】
本発明は上述の課題を解決するために、被写体を複数回撮影して撮影毎に被写体の画像を出力する撮影手段と、この撮影手段から出力される複数の画像を記憶する記憶手段と、この記憶手段に記憶された複数の画像の画像サイズを縮小して１つのマルチ画像を生成する画像処理手段と、この画像処理手段で生成されたマルチ画像を表示する表示手段と、記憶手段に記憶された画像をプリントアウトする出力手段と、記憶手段および出力手段を制御する制御手段とを有し、この制御手段は、表示手段で表示されたマルチ画像の中から選択されたプリントアウトすべき画像の指示を受けたとき、選択された画像を記憶手段から読み出して出力手段へ送出し、この出力手段に画像をプリントアウトさせることを特徴とする。
【０００７】
また、本発明は、被写体を複数回撮影して撮影毎に被写体の画像を出力する撮影手段と、着脱自在な記憶媒体から複数の画像を入力する入力手段と、撮影手段から出力される複数の画像および入力手段が入力した複数の画像のいずれかを選択する選択手段と、この選択手段で選択された複数の画像を記憶する記憶手段と、記憶手段に記憶された複数の画像の画像サイズを縮小して１つのマルチ画像を生成する画像処理手段と、画像処理手段で生成されたマルチ画像を表示する表示手段と、記憶手段に記憶された画像をプリントアウトする出力手段と、記憶手段および出力手段を制御する制御手段とを有し、この制御手段は、表示手段で表示されたマルチ画像の中から選択されたプリントアウトすべき画像の指示を受けたとき、選択された画像を記憶手段から読み出して出力手段へ送出し、この出力手段に画像をプリントアウトさせることを特徴とする。
【０００８】
この場合、入力手段には磁気ディスク、光ディスク、またはメモリカードのドライブ装置が好適である。また、この場合、記憶手段から読み出されて画像処理装置で処理される複数の画像のそれぞれに背景画像を画面合成する手段を設けるのがよい。
【０００９】
また、本発明は、被写体を撮影して被写体の画像を出力する撮影手段と、着脱自在な記憶媒体に対して画像を入出力する入出力手段と、撮影手段から出力される画像および入出力手段から出力される画像のいずれかを選択する選択手段と、この選択手段により選択された画像を記憶する記憶手段と、この記憶手段に記憶された画像をプリントアウトする出力手段と、入出力手段、選択手段、記憶手段および出力手段を制御する制御手段とを有し、この制御手段は、外部からの指示に従って選択手段を制御することにより撮影手段から出力される画像および入出力手段から出力される画像のいずれかを選択し、撮影手段から出力される画像を選択するときはこの画像に該当する画像を記憶手段から読み出して出力手段によりプリントアウトさせると共に入出力手段により記憶媒体に出力させ、入出力手段から出力される画像を選択するときはこの画像に該当する画像を記憶手段から読み出して出力手段によりプリントアウトさせることを特徴とする。
【００１０】
この場合、撮影手段はビデオ走査カメラまたはスチルカメラを含むのがよい。また、入出力手段には磁気ディスク、光ディスク、またはメモリカードのドライブ装置が好適である。
【００１１】
【発明の実施の形態】
次に添付図面を参照して本発明による写真撮影装置の実施例を詳細に説明する。
【００１２】
図１は、第１の実施例の写真撮影装置の構成を示すブロック図である。この第１の実施例は、複数の写真を撮ってディスプレイ上にマルチ画像表示し、使用者が選択した写真をプリントアウトするものであり、写真の撮り直しを回避することができる。また、この第１の実施例は、撮った写真を使用者が用意したフロッピーディスクに格納し、後日フロッピーディスクに格納された写真をプリントアウトすることができるものでり、フロッピーディスクに格納されている写真と同一の写真を再撮影することなく何回でもプリントアウトすることができる。
【００１３】
図１において、ビデオカメラ１は、使用者等の肖像を撮影してその画像信号を生成し、出力側に接続されるカメラ入力部２へ出力するものであって、例えば、CCD 撮像素子を有するカラーのビデオ走査カメラが好適である。なお、ビデオカメラ１から出力される画像信号としては、NTSC方式等の映像信号、Ｒ、Ｇ、Ｂの色信号等が考えられる。
【００１４】
カメラ入力部２は、A/D 変換器を有し、ビデオカメラ１からの画像信号を順次アナログ信号からパラレルのディジタル信号（画像データ）に変換するものであり、例えば、周知のビデオ・キャップチャ・ボードを用いて実現することができる。なお、ビデオカメラ１が画像信号としてディジタル信号を出力するビデオカメラである場合には、カメラ入力部２は、ビデオカメラ１からの画像信号をシリアル信号からパラレルの画像データに変換するものとなる。
【００１５】
カメラ入力部２にはメモリ制御部３が接続されており、メモリ制御部３にはメモリ４、画像処理部５、プリンタ出力部６、FDドライブ部８、表示画像出力部10、および制御部13が接続されている。メモリ制御部３は、制御部13の指示に従ってメモリ４に対する画像データの入出力を管理するものであって、カメラ入力部２で生成された画像データおよびFDドライブ部８で生成された画像データを読み出して、例えば、DMA によりメモリ４の所定の番地に格納し、メモリ４に格納されている画像データを読み出してプリンタ出力部６、FDドライブ部８、および表示画像出力部10へ出力するものである。
【００１６】
メモリ４は、複数画面に対応する画像データを格納することができるメモリエリアを有すると共に、使用者に装置の使用方法をディスプレイにより案内するための複数の画像データがあらかじめ格納されており、例えば、RAM およびROM により構成される。画像処理部５は、メモリ４から読み出されたメモリ制御部３からの画像データに対して所定の画像処理、例えば、画像の合成、画像の拡大、縮小、色やコントラストの補正等を施すものである。なお、画像処理部５において、色やコントラストの補正等の画素毎に振幅処理を行うための演算には、周知のルックアップテーブル(LUT) を用いると便利である。
【００１７】
プリンタ出力部６は、メモリ制御部３と出力側に接続されるプリンタ７とのインタフェースをとるものであり、メモリ制御部３からの画像データを一旦蓄積して順次プリンタ７へ出力するものである。プリンタ７は、プリンタ出力部６からの画像データに対応する画像を、制御部13により指示された所定の紙、IDカード、はがき等にプリントアウトするものであって、例えば、マルチカラーあるいはモノクロのインクジェットプリンタ、レーザープリンタ等を用いることができる。
【００１８】
FDドライブ部８は、装填されたフロッピーディスク(FD)９を駆動し、メモリ制御部３からの画像データをFD９へ格納し、FD９に格納されている画像を読み出してメモリ制御部３へ送出するものである。表示画像出力部10は、メモリ制御部３からの画像データをディジタル信号からアナログ信号に変換して表示用の画像信号、例えば、NTSC方式の映像信号あるいはＲ、Ｇ、Ｂの色信号を生成し、出力側に接続されるディスプレイ11へ出力するものである。また、ディスプレイ11は、表示画像出力部10からの信号に対応する画像（写真）をディスプレイ上に表示するものであって、例えば、CRT モニタテレビ等を用いることができる。
【００１９】
操作部12は、使用者が装置に対して指示を与えるための押しボタンスイッチ、使用料を支払うための支払口、支払われたお金を検出する検出手段等を備えており、使用者による指示を出力側に接続される制御部13へ出力し、また、使用料が支払われたことを制御部13へ通知するものである。なお、ディスプレイ11として、そのディスプレイ上を指等でタッチすることにより指示を与えることができる操作タッチパネルスクリーンおよびタッチパネルコントローラを備えたディスプレイを用い、使用者がこのタッチパネルスクリーンを指等でタッチすることにより装置に対する指示を与えることができるようにしてもよい。
【００２０】
制御部13は、ビデオカメラ１による撮影からプリンタ７による写真のプリントアウトまでの各部の動作を、あらかじめ定められた所定の順序に従って制御するものであって、操作部12からの使用者の指示に基づいて各部を制御する制御信号を発生して各部へ送出すると共に、各部における動作のタイミングを指示する同期信号を発生して各部へ出力するものであり、コンピュータにより実現することができる。
【００２１】
次に、本実施例の動作を図２に示すフローチャートを用いて詳細に説明する。本実施例の動作には、ビデオカメラ１により写真を撮ってその写真をプリントアウトする場合と、FD９から画像データを取り込んでその画像データにより写真をプリントアウトする場合とがあるが、先ず、前者の場合の動作について以下説明する。
【００２２】
操作部12は、使用者による動作要求の押しボタンスイッチの操作があったとき、その旨を制御部13へ通知する。制御部13は、操作部12からのこの通知に基づいて各部を制御し、図２のフローチャートに示す一連の処理を実行する。詳細には、ステップS1において、制御部13は、使用者に対してビデオカメラ1 による撮影およびFDの画像データによるプリントアウトのいずれかを選択するように案内するための画像データを出力するようメモリ制御部３に指示する。
【００２３】
メモリ制御部３は、制御部13の指示に従ってメモリ４から該当する案内用の画像データを読み出し、これを表示画像出力部10へ出力する。表示画像出力部10は、メモリ制御部３からの画像データを映像信号に変換してディスプレイ11へ出力し、ディスプレイ11は、その映像信号に対応する画像をディスプレイ上に表示する。使用者は、ディスプレイ11による案内に従って操作部12の押しボタンスイッチ等を操作することにより、この場合はビデオカメラ1 による撮影を選択する。
【００２４】
制御部13は、撮影が選択されたことを検出すると（ステップS2）、使用者に対して撮影条件、例えば、撮影画質（普通画質、高画質）や撮影回数（コマ数）を入力するように案内するための画像データを出力するようメモリ制御部３に指示する。その案内用の画像データに対応する画像は、ステップS1の場合と同様にしてディスプレイ11により表示される。使用者は、ディスプレイ11による案内に従って操作部12の押しボタンスイッチ等を操作することにより、所定の指示を入力する（ステップS3）。
【００２５】
次いで、制御部13は、ビデオカメラ１に対して所定の条件（撮影画質）で動作を開始するよう指示する（ステップS4）。ビデオカメラ１は、カメラの前の使用者の肖像等を撮影してその画像信号をカメラ入力部２へ出力する。カメラ入力部２は、ビデオカメラ１からの画像信号を順次画像データに変換する。メモリ制御部３は、カメラ入力部２で変換した画像データを取り込み、これを表示画像出力部10へ出力する。表示画像出力部10は、メモリ制御部３からの画像データを映像信号に変換してディスプレイ11へ出力し、ディスプレイ11は、その映像信号に対応する画像をディスプレイ上に表示する。これにより、使用者の肖像等がディスプレイ11上に表示され、使用者によるモニタが可能となる。
【００２６】
制御部13は、更に、メモリ制御部３等を制御することにより、使用者に対して所定の時間経過後に１回目の写真撮影を行うことをディスプレイ11により案内する。使用者は、所定の時間内に、ディスプレイ11による画像を見ながら所望のポウズをとる。メモリ制御部３は、所定の時間経過したとき、カメラ入力部２で変換された画像データから１画面分の画像データを取り込み、これをメモリ４の所定のメモリエリアに格納する。これにより、写真が撮られたことになる。
【００２７】
次いで、制御部13は、メモリ制御部３等を制御することにより、使用者に対して所定の時間経過後に２回目の写真撮影を行うことをディスプレイ11により案内する。メモリ制御部３は、所定の時間経過したとき、カメラ入力部２で変換された画像データから１画面分の画像データを取り込み、これをメモリ４の所定のメモリエリアに格納する。なお、撮影を終了したとき、その都度撮影を終了した旨および残りの撮影回数を使用者に対してディスプレイ11により案内するのがよい。
【００２８】
制御部13は、使用者が指示した撮影回数N の撮影を終了したとき（ステップS5）、撮影したN 個の画像をディスプレイ11により表示するよう各部に指示する。詳細には、メモリ制御部３は、メモリ４に格納されているN 個の画像データを順次コピーし、これを画像処理部５へ出力する。画像処理部５は、メモリ制御部３からのN 個の各画像データについて画像サイズの圧縮を施し、N 個の画像からなる１画面のマルチ画像を生成して表示画像出力部10へ出力する。表示画像出力部10は、画像処理部５からの画像データを映像信号に変換してディスプレイ11へ出力し、ディスプレイ11はN 個の画像からなるマルチ画像を表示する（ステップS8）。
【００２９】
制御部13は、メモリ制御部３等を制御することにより、使用者に対してディスプレイ11により表示されたN 個の画像の中からプリントアウトを希望する画像を選択するようディスプレイ11により案内する。使用者は、操作部12の押しボタンスイッチを操作することにより、プリントアウトを希望する画像を装置に指示する（ステップS9）。なお、プリントアウトを希望する画像を複数指示してもよい。制御部13は、メモリ制御部３等を制御することにより、選択された画像について加工、修正を施す（ステップS10 ）。
【００３０】
詳細には、メモリ制御部３は、メモリ４に格納されているN 個の画像データの中から使用者が選択した画像データを読み出し、これを画像処理部５へ出力する。画像処理部５は、メモリ制御部３からの画像データの画像について色補正、拡大、縮小などの加工、修正を施し、処理後の画像データをメモリ制御部３へ出力し、メモリ制御部３は、これをメモリ４に格納する。メモリ制御部３は、メモリ４に格納したこの画像データと同一の画像データを表示画像出力部10へ出力する。表示画像出力部10は、画像処理部５からの画像データを映像信号に変換してディスプレイ11へ出力し、ディスプレイ11はこの画像を表示する。なお、上記の画像加工、修正は、ディスプレイ11をモニタしながら、操作部12の押しボタンスイッチを操作することにより入力される使用者の指示に従って行われる。
【００３１】
制御部13は、メモリ制御部３等を制御することにより、使用者に対して背景画像の要否の指示をするようディスプレイ11により案内し、要のときは使用者が用意した背景画像を記憶したFD９をFDドライブ部８に装填するようディスプレイ11により案内する（ステップS11 ）。使用者は、背景画像要のときは用意したFD９をFDドライブ部８に装填すると共に、操作部12の押しボタンスイッチを操作することにより、装置がFD９から背景画像を読み出すために必要な情報を入力する（ステップS12 ）。なお、使用者が背景画像が不要である旨を指示したときは、ステップS11 から後述するステップS17 へ移行する。
【００３２】
制御部13は、FDドライブ部８等を制御して、FD９から所定の背景画像データを取り込んでディスプレイ11によりマルチ画像表示をする。詳細には、FDドライブ部８は、FD９から使用者が指示したM 個の背景画像データを取り込む。メモリ制御部３は、FDドライブ部８が取り込んだM 個の背景画像データを順次読み出し、これをメモリ４の所定のエリアに格納すると共に、同一のM 個の背景画像データを画像処理部５へ送出する。
【００３３】
画像処理部５は、メモリ制御部３からのM 個の各背景画像データに対して画像サイズの圧縮を施し、M 個の画像からなる１画面のマルチ画像を生成して表示画像出力部10へ出力する。表示画像出力部10は、画像処理部５からの背景画像データを映像信号に変換してディスプレイ11へ出力し、ディスプレイ11はM 個の画像をマルチ画像表示する（ステップS14 ）。制御部13は、メモリ制御部３等を制御することにより、使用者に対してディスプレイ11により表示されたM 個の背景画像の中から所望の背景画像を選択するようディスプレイ11により案内する。使用者は、操作部12の押しボタンスイッチを操作することにより、所望の背景画像を装置に指示する（ステップS15 ）。
【００３４】
次いで、制御部13は、メモリ制御部３等に画像の編集を指示する（ステップS16 ）。詳細には、メモリ制御部３は、M 個の背景画像の中から使用者が選択した背景画像の背景画像データと、ステップS10 で処理した肖像等の画像データとをメモリ４から読み出し、これを画像処理部５へ出力する。画像処理部５は、肖像等の画面と背景画面を画面合成するための処理を行い、処理後の画像データをメモリ制御部３へ出力する。メモリ制御部３は、この画像データをメモリ４に格納すると共に、同一の画像データを表示画像出力部10へ出力する。表示画像出力部10は、画像処理部５からの画像データを映像信号に変換してディスプレイ11へ出力し、ディスプレイ11はその画面合成した画像を表示する。なお、このとき使用者が、この表示された画面をモニタしながら、肖像等の画像や背景画像を拡大、縮小することができるようにしてもよい。
【００３５】
制御部13は、メモリ制御部３等を制御することにより、使用者に対して撮った写真の出力条件を指示をするようディスプレイ11により案内する。使用者は、操作部12の押しボタンスイッチ等を操作することにより、例えば、プリントアウトされる写真の大きさ、枚数、種類等を指示する。また、その写真の画像データをFD９に格納したいときにはその旨を指示する。なお、写真とフロッピーディスクの双方に出力するように指示することもできる（ステップS17 ）。
【００３６】
制御部13は、メモリ制御部３等を制御することにより、使用者に対して所定の使用料を支払うようにディスプレイ11により案内する。制御部13は、操作部12から使用料が支払われた旨の通知を受けると、画像処理部５、プリンタ出力部６、FDドライブ部８等を制御することにより、画面合成した写真またはその画像データを出力する（ステップS18 ）。詳細には、メモリ制御部３は、メモリ４から画面合成した画像データを読み出し、これをプリンタ出力部６およびFDドライブ部８へ出力する。プリンタ出力部６は、メモリ制御部３からの画像データをプリンタ７へ出力し、プリンタ７は指示された大きさ、種類の写真を指示された枚数だけプリントアウトする。FDドライブ部８は、FD画像処理部５からの画像データをFD９に書き込む。
【００３７】
このように、本実施例によれば、ビデオカメラ１により複数の写真を撮ってディスプレイにマルチ画像表示し、その中から使用者が選択した画像をプリンタ７により写真としてプリントアウトする。したがって、使用者は、１回の写真撮影装置の使用により複数の写真を撮り、その中から気にいった写真を選択することが可能となるので、撮影のやり直しを回避することができる。これにより、撮影のやり直しで生ずる時間の無駄や使用料の支払を回避することができる。
【００３８】
次に、FD９から画像データを取り込んでその画像データにより写真をプリントアウトする場合の動作を、図２のフローチャートを用いて説明する。
【００３９】
使用者は、ステップS1において、ディスプレイ11による案内に従って操作部12の押しボタンスイッチを操作することにより、FD９から画像データを取り込んでその画像データにより写真をプリントアウトすることを選択する。制御部13は、FDが選択されたことを検出すると（ステップS2）、メモリ制御部３等を制御することにより、使用者に対して用意したFD９をFDドライブ部８に装填し、そのFD９から使用する画像を読み出すために必要な情報を操作部12から入力するようディスプレイ11により案内する。
【００４０】
使用者は、用意したFD９をFDドライブ部８に装填すると共に、操作部12の押しボタンスイッチを操作することにより、FD９から複数の画像を読み出すために必要な情報を入力する（ステップS6）。制御部13は、FDドライブ部８等を制御して、FD９から複数の画像データを取り込んでメモリ４に格納し（ステップS7）、この複数の画像データを処理してディスプレイ11によりマルチ画像表示をする（ステップS8）。以下、ステップS9〜S18 までの処理が実行され、FD9 に記憶されている複数の画像のうち使用者が選択した画像がプリンタ７により写真としてプリントアウトされる。なお、この場合、写真となる画像データをFD9 に格納するための処理は当然実行されない。
【００４１】
このように、本実施例では、使用者が用意したFD９から画像を読み出し、その画像データにより写真をプリントアウトするので、使用者は、FD９に格納されている写真と同一の写真を何回でもプリントアウトすることが可能となる。なお、本実施例におけるビデオカメラ１に替えてスチルカメラを用いてもよい。
【００４２】
図３は、本発明の第２の実施例の写真撮影装置の構成を示すブロック図である。この第２の実施例は、図１に示す第１の実施例の写真撮影装置から、１回の装置使用で複数回撮影する機能および複数の画像を同時に表示するマルチ画像表示の機能を省略した写真撮影装置である。
【００４３】
図３において、ビデオカメラ21は、使用者等の肖像を撮影してその画像信号を生成し、出力側に接続されるカメラ入力部22へ出力するものである。カメラ入力部22は、A/D 変換器を有しており、ビデオカメラ21からの画像信号を順次アナログ信号からパラレルのディジタル信号（画像データ）に変換するものである。ビデオカメラ21、カメラ入力部22は、それぞれ図１に示すビデオカメラ１、カメラ入力部２と同等のものである。
【００４４】
カメラ入力部22には、制御部23に接続されており、制御部23には、メモリ24、プリンタ出力部25、およびFDドライブ部27が接続されている。制御部23は、メモリ24に対する画像データの入出力を管理すると共に、ビデオカメラ21による撮影等からプリンタ26による写真のプリントアウトまでの各部の動作を、あらかじめ定められた所定の順序に従って制御するものであって、使用者の指示に基づいて各部を制御するための制御信号を発生して各部へ送出すると共に、各部における動作のタイミングを指示する同期信号を発生して各部へ出力するものであり、コンピュータにより実現することができる。なお、使用者は、制御部23が有する操作パネルを操作することによって制御部23に指示を与える。
【００４５】
メモリ24は、少なくとも１画面の画像データを格納することができるメモリエリアを有し、例えば、RAM により構成される。また、プリンタ出力部25、プリンタ26、FDドライブ部27、FD28は、それぞれ第１図に示すプリンタ出力部６、プリンタ７、FDドライブ部８、FD９と同じものである。
【００４６】
次に、本実施例の動作を説明する。本実施例の動作には、ビデオカメラ21により撮影した写真をプリントアウトする場合と、FD28から画像データを取り込んでその画像データにより写真をプリントアウトする場合とがあるが、先ず、前者の場合の動作について説明する。
【００４７】
使用者は、操作パネルを操作することにより、制御部23に対してビデオカメラ21により写真を撮影する旨を指示すると共に、撮影結果をプリンタ26によりプリントアウトするか、FD28へ出力するか、プリンタ26によりプリントアウトすると同時にFD28へも出力するかを選択する。制御部23は、使用者の指示を受けると各部に対して動作の開始を指示する。ビデオカメラ21は、カメラの前の被写体を撮影してその画像信号をカメラ入力部22へ出力する。カメラ入力部22は、ビデオカメラ21からの画像信号を順次画像データに変換する。
【００４８】
制御部23は、ビデオカメラ21が動作してから所定の時間が経過したときあるいは使用者からの指示があったとき、カメラ入力部22で変換された１画面分の画像データを取り込み、これをメモリ24の所定のメモリエリアに格納する。次いで、制御部23は、プリンタ出力部25およびFDドライブ部27の動作準備が完了したことを確認し、先にメモリ24に格納した画像データを読み出してプリンタ出力部25およびFDドライブ部27へ出力する。プリンタ出力部25は、制御部23からの画像データをプリンタ26へ出力し、プリンタ26は、あらかじめ定められた種類、大きさ、枚数の写真をプリントアウトする。FDドライブ部27は、制御部23からの画像データを使用者が用意したFD28に書き込む。なお、写真の種類、大きさ、枚数は、使用者が選択できるようにしてもよい。
【００４９】
次に、FD28から画像データを取り込んでその画像データにより写真をプリントアウトする場合の動作を説明する。
【００５０】
使用者は、操作パネルを操作することにより、制御部23に対して使用者が用意したFD28に格納されている写真をプリントアウトする旨を指示すると共に、用意したFD28をFDドライブ部27に装填する。制御部23は、使用者の指示を受けると各部に対して動作の開始を指示する。そして、制御部23は、FDドライブ部27の動作準備が完了したことを確認し、FDドライブ部27にFD28から１画面分の所定の画像データを読み出すように指示する。FDドライブ部27は、FD28を駆動して所定の画像データを読み出す。
【００５１】
制御部23は、FDドライブ部27により読み出された画像データを取り込み、これをメモリ24の所定のメモリエリアに一時格納する。そして、制御部23は、プリンタ出力部25およびプリンタ26の動作準備が完了したことを確認し、先にメモリ24に格納した画像データを読み出してプリンタ出力部25へ出力する。プリンタ出力部25は、制御部23からの画像データをプリンタ26へ出力し、プリンタ26は、あらかじめ定められた種類、大きさ、枚数の写真をプリントアウトする。なお、写真の種類、大きさ、枚数は、使用者が選択できるようにしてもよい。
【００５２】
このように、本実施例によれば、ビデオカメラ21で撮影した写真を使用者が用意したFD28に格納することができ、また、そのFD28に格納された写真をプリントアウトすることができるので、使用者は、そのFD28を用いることにより、再撮影することなく、厳密に同じ写真を何回でもプリントアウトすることが可能となる。また、使用者は、ビデオカメラ21で撮影した写真をFD28に格納することができるので、プリントを作成するのと同様な手軽さで撮影した写真のディジタル画像データを入手可能することができる。
【００５３】
また、本実施例によれば、FD28に格納するデータのフォーマットを統一すれば、写真撮影装置以外の装置で作成してFD28に格納した画像も、この写真撮影装置によりプリントアウトすることができるので、写真撮影装置の使用範囲が広がってくるという効果も得られる。
【００５４】
図４は、本発明の第３の実施例の写真撮影装置の構成を示すブロック図である。この第３の実施例は、図３に示す第２の実施例におけるビデオカメラ21に代えてディジタルスチル（DS）カメラ31を用いた例である。
【００５５】
図４において、DSカメラ31は、使用者の肖像等を撮影してディジタル画像信号を生成し、そのディジタル画像信号を出力側に接続されるカメラ入力部32へ出力するものである。カメラ入力部32は、DSカメラ31からのディジタル画像信号を一時記憶するものである。その他の制御部33、メモリ34、プリンタ出力部35、プリンタ36、FDドライブ部37、およびFD38は、それぞれ図３に示す制御部23、メモリ24、プリンタ出力部25、プリンタ26、FDドライブ部27、およびFD28と同じものである。
【００５６】
本実施例の動作は、DSカメラ31が１画面分のディジタル画像信号を出力し、カメラ入力部32がそのディジタル画像信号を一時記憶し、制御部33がカメラ入力部32からそのディジタル画像信号を取り込んでメモリ34に格納するものであり、以後の動作は、図３に示す第２の実施例の場合と同様である。本実施例によっても、第２の実施例の場合と同様の効果が得られる。
【００５７】
図５は、本発明の第４の実施例の写真撮影装置の構成を示すブロック図である。この第４の実施例は、図４に示す第３の実施例の制御部33にメモリカード入出力部39を追加接続したものであって、DSカメラ31から出力される画像データを、メモリカード入出力部39に装填された使用者のメモリカード40に格納し、また、このメモリカード40に格納されている画像データをメモリカード入出力部39により読み出してプリンタ36によりプリントアウトするものである。本実施例によっても、第２の実施例の場合と同様の効果が得られる。また、メモリカード40との間で画像データの転送を行うこともできる。
【００５８】
なお、上記各実施例では、画像データの記憶媒体としてフロッピーディスク、メモリカードを用いているが、他の磁気ディスクや光ディスク等の画像データを記憶できる着脱自在な記憶媒体であれば種類を問わない。
【００５９】
【発明の効果】
このように本発明によれば、１回の写真撮影装置の使用で複数の写真を撮り、使用者がプリントアウトする写真をその中からモニタにより選択することができるので、写真の撮り直しを回避することができる。
【００６０】
また、本発明によれば、撮った写真を使用者が用意した記憶媒体に格納することができ、また、使用者が用意した記憶媒体に格納されている写真をプリントアウトすることができるので、記憶媒体に格納されている写真と同一の写真を再撮影することなく何回でもプリントアウトすることができる。
【図面の簡単な説明】
【図１】第１の実施例の写真撮影装置を示すブロック図である。
【図２】第１の実施例の写真撮影装置の動作を示すフローチャートである。
【図３】第２の実施例の写真撮影装置を示すブロック図である。
【図４】第３の実施例の写真撮影装置を示すブロック図である。
【図５】第４の実施例の写真撮影装置を示すブロック図である。
【符号の説明】
１、21  ビデオカメラ
２、22、32  カメラ入力部
３  メモリ制御部
４、24、34  メモリ
５  画像処理部
６、25、35  プリンタ出力部
７、26、36  プリンタ
８、27、37  FDドライブ部
９、28、38  FD
10  表示画像出力部
11  ディスプレイ
12  操作部
13、23、33  制御部
31  DSカメラ
39  メモリカード入出力部
40  メモリカード
【図１】
0003754155.tif 000002
【図２】
0003754155.tif 000003
【図３】
0003754155.tif 000004
【図４】
0003754155.tif 000005
【図５】
0003754155.tif 000006